(57)【要約】      （修正有）【課題】一週間一度程度、できれば毎日の頻度で、台所仕事の延長線上で、薬品を使わない方法で、完全な洗浄を実施できるパイプ洗浄用具を提供する。【解決手段】布または布に類する布切れ、あるいは、寄せ集めのひもを一括してタコの頭と足のような形状となるよう糸で縛る。さらに、ナイロン糸もしくはナイロン糸のように表面が堅くスベスベした糸１０６をつけて、その糸の長さを洗浄しようとする部分のパイプの長さより少し長めにし、糸の手元側にストッパー１０８を儲けたものを廃水と一緒にパイプに送り込み、たぐり上げる。【選択図】図１
0003187406.tif 000002
【実用新案登録請求の範囲】
【請求項１】
｛｛一枚の布切れ｝または｛一枚の布切れの周辺部に切り込みをいれたもの｝または｛複数枚の細長い布切れの中心部を揃えて放射状にしたもの｝｝を布切れとし、
布切れの材料は｛｛天然材料｝または｛プラスティック材料｝または｛金属材料｝または｛それらの複合材料｝｝からなるものとし、
布切れの中心部がタコの頭状になって、布切れの端がタコの足状になるよう、糸で縛り、糸で縛った部分がくびれて、全体が、たこの頭と足のような形状としたものをパイプ洗浄布とし、
｛｛一本、または複数本の｝ひも｝の
一方の端にはパイプ洗浄布を装着し、
他方の端には、パイプ洗浄布を手でたぐれるよう、｛｛取手｝または｛指を入れる輪｝を設けた｝、そして、または、｛｛パイプの口からパイプの中に入りこまないよう、吸い込み止め｝を設けた｝ものをパイプ洗浄用具とし、
ひもの長さは｛廃水パイプの台所の廃水口｝から｛廃水パイプの中間に水を貯めるための曲がっている部分よりも少し奥｝まで届く程度とし、
ひもの素材は｛ナイロンを代表とする合成素材｝または｛たこ糸を代表とする天然素材｝または｛金属素材｝または｛それらの合成素材｝とし、
台所の廃水口から、パイプ洗浄布を廃水パイプに押し込み、水を流すことで、パイプ洗浄布が水を吸ってふやけた状態で、水とともに廃水パイプを流れ下り、
｛ひもが伸びきったところ｝で、｛ひもをたぐり上げ｝、｛再びパイプ洗浄布を水と一緒に流す｝、を数回繰り返すことで、廃水パイプの内側に付着した汚れを、水流とともに洗い落とす、という用途に用いることを特徴とするパイプ洗浄用具。
【考案の詳細な説明】
【技術分野】
【０００１】
本考案は、一般家庭の廃水パイプ内部の洗浄方法に関する。専門業者に頼ることなく、化学薬品を用いることなく、台所掃除の延長上で、できれば毎日でも掃除ができればよい。
【背景技術】
【０００２】
専門業者に洗浄業務を依頼する。廃水パイプを外して、内部を洗浄する。
ピアノ線からなる｛自在にまがる用具｝を使って、曲がりくねったパイプの内部の汚れをこすり落とす。
化学薬品を使って、パイプナイブの汚れを洗浄する。
【考案の開示】
【考案が解決しようとする課題】
【０００３】
台所の廃水パイプは、通常、パイプの奥の恒常的に汚れた部分からの悪臭を遮断するためのくびれた構造を持つ。くびれた部分に水をためることによって、奥深くからの悪臭を遮断している。しかし、台所の流し口から、パイプのくびれた部分までも数十センチメートルから１メートル程度の距離があり、この部分にも廃水に含まれる有機物が付着し、やはり悪臭が出る。特に、日本の夏場には腐敗が激しく、見えないが、かなり汚い部分でもある。
パイプの清掃業者に作業を発注しても、パイプを開けたときの｛汚水、汚物、悪臭｝は気分の良いものではない。できればパイプを開けずに内部を掃除したい。
廃水パイプの洗浄を業者に頼むとなるとコストがかかる。
ピアノ線でできた自在に曲がる道具で、パイプ内部を洗浄する方法があるが、完全ではない上、洗浄用具の｛取り扱い、作業後の洗浄、保管｝が面倒であるばかりでなく、パイプの内壁にキズを付ける可能性もある。
化学薬品による洗浄は必ずしも完全ではなく、環境への負荷も大きいことから、頻繁に実施することには抵抗感がある。
台所の廃水パイプの内部の洗浄を｛毎日の、あるいは毎週の｝頻度でも抵抗感なく手間をかけずに実行したい。
【課題を解決するための手段】
【０００４】
請求項で定義されている用語は明細書においても同様とする。
明細書で定義されている用語は請求項においても同様とする。
｛｝内は｛｝外に優先して意味をもつものとする。
タコとは海の生物のタコであって、足が多数あって、通称、頭と呼ばれるマルイ部分があって、｛頭と足の間がくびれている形状｝の説明上の用語である。
【０００５】
本考案は台所の廃水パイプの内部の汚れを簡単に洗浄できる用具に関する。
布切れを糸で巻き付けて、タコの頭と足を作るように、くびれを作り、｛頭の部分またはくびれの部分｝に長いひもを結び、これをパイプ洗浄布とし、  パイプ洗浄布を台所の流し口から廃水パイプに押し込む。パイプ洗浄布のサイズは、廃水パイプの内径にパイプ洗浄布が水を含んだ状態で、スムースに、しかもパイプ内部を均等にこする程度が最適である。ひもは、パイプの内壁や曲がった部分にもスムースに通す必要があり、ナイロン糸が最適である。ひもは一本でも可能であるが切れる可能性を想定して、複数本が望ましい。水を含んだパイプ洗浄布は水をせき止める性質があり、台所の廃水口へ水を多量に流すことで、パイプ洗浄布は廃水パイプの奥へ引き込まれる。パイプ洗浄布はパイプの形状に合わせて自在に形が変わることから、パイプが曲がったところでもスムースにくぐり抜ける。
【考案の効果】
【０００６】
本考案は、以下に記載されるような効果を生む。
第1に、台所の廃水パイプの内部の洗浄が極めて苦痛無く簡単になる。
第２に、洗浄用具が小さく、手のひらで握ることができる大きさであり、パイプ内部の洗浄作業を兼ねて洗浄用具も洗浄されることから、洗浄用具の作業後の洗浄に清潔感があって、台所でも可能である。
第３に洗浄用具が小さいので保管場所を取らず、たわしなどの洗浄用具と一緒に台所の空きスペースに置いておくことができる。
第４に、化学薬品を使わないので、環境負荷を与えない。
【図面の簡単な説明】
【０００７】
【図１】本考案の一実施例の構造説明図
【図２】本考案の一実施例の使用状態の説明図
【０００８】
第1に一枚の布切れの中心部に玉を作るように糸で縛る。このようにしてできたパイプ洗浄布の玉の部分にナイロン糸を通し、糸が玉の部分からから抜け落ちないよう、ナイロン糸と玉を一体化する。ナイロン糸は一本でも複数本でも良いが、複数本の場合は一本が外れても残りが外れることがない構造とする。ナイロン糸の長さは、廃水パイプ内部で水を貯めるための曲がっている部分を通り抜ける程度が望ましい。
ナイロン糸が短すぎると廃水パイプの奥まで洗浄できない。長すぎると、パイプ洗浄布をたぐり上げるとき、力がかかりすぎてナイロン糸が切れる心配が増す。
ナイロン糸の手元には、たぐり上げの際、力がかかるので、握りやすくするための、｛ひっかかり構造  または  取手｝を設ける。また、ナイロン糸が手から外れても、パイプ洗浄布がパイプの奥に引き込まれないよう、廃水パイプの入口に引っかかる構造を設ける。ナイロンの変わりに、麻ひもでも差し支えないが、麻ひもの場合、水を含むとパイプ内部の接続部で摩擦が大きく、たぐり上げる際、余分に大きな力を必要とする。
【０００９】
第2に、第1の例の玉の部分に当たるところに、プラスティックの玉を入れ、その玉には完全な抜け止めを施したナイロン糸を通す。こうすることで、ナイロン糸とパイプ洗浄布をより完全に外れなくすることができる。
【００１０】
第３に、第1または第2の例で使う一枚の布切れの｛中心部と端の中間部｝から｛端｝にかけて放射状に切れ目を入れる。放射状に切れ目を入れることによって、水を吸った  布がパイプ内部を滑る際、パイプ洗浄布全体がパイプ内壁の形状によりなじみやすく、吸い込みと、たぐり上げがよりスムースになる。
【００１１】
第４に、第1または第3の例で使う一枚の布切れの変わりに、｛多数の短冊状の細長い布きれ｝を用いる。
【実施例】
【００１２】
以下、図面を用いた詳細説明。
図１は本考案のパイプ洗浄用具の一実施例である。
１は布または布切れのタコの頭に相当する中央の部分、２はタコの足に相当する部分で、この部分がパイプの内面をこする。３は縛り糸でタコのくびれた部分を作る。４と５は、ひもの端の抜け止め、６と７はひもである。この実施例はひもが２本の場合を示す。８は取手、９はストッパーである。
【００１３】
図２は本考案の使われ方を示す。１０１は流し台の底の水を受ける部分。ゴミを濾す網は説明を省略する。１０２は廃水パイプの流し口側、１０３は廃水パイプの中間にある、水をためる曲がりくねった部分、１０４は廃水パイプの廃水側である。１０５は図１のパイプ洗浄用具の先端部で、パイプ内部の汚れをこすり落とす部分。１０６はパイプ洗浄用具のひもであり、説明図を簡単にするために一本としてある。１０７はパイプ洗浄用具の取手、１０８はパイプ洗浄用具がパイプ内部に吸い込まれないためのストッパーである。
１０９は洗浄するための、流し口から流す水である。１１０は、洗浄に使った水が流れ出す方向を示す。パイプ洗浄用具のパイプ洗浄布が水を吸って膨らんでいることから、パイプ内壁に接触し、上から洗浄の水で押され、かつ、廃水側から引き込まれることから、パイプ内部をこすりながら、パイプを下る。取手を引き上げたりパイプ洗浄布を流し込んだりを繰り返すことで、パイプ内部が洗浄される。
【産業上の利用可能性】
【００１４】
本考案は、廃水パイプナイブの洗浄用具として、家庭の台所や、業務用の厨房に、たわしなどの洗浄用具とともに備えられる。
【図１】
0003187406.tif 000003
【図２】
0003187406.tif 000004
【手続補正書】
【提出日】平成25年9月25日(2013.9.25)
【手続補正１】
【補正対象書類名】明細書
【補正対象項目名】全文
【補正方法】変更
【補正の内容】
【考案の詳細な説明】
【技術分野】
【０００１】
本考案は、一般家庭の廃水パイプ内部の洗浄方法に関する。専門業者に頼ることなく、化学薬品を用いることなく、台所掃除の延長上で、できれば毎日でも掃除ができればよい。
【背景技術】
【０００２】
専門業者に洗浄業務を依頼する。廃水パイプを外して、内部を洗浄する。
ピアノ線からなる  自在にまがる用具  を使って、曲がりくねったパイプの内部の汚れをこすり落とす。
化学薬品を使って、パイプナイブの汚れを洗浄する。
【考案の開示】
【考案が解決しようとする課題】
【０００３】
台所の廃水パイプは、通常、パイプの奥の恒常的に汚れた部分からの悪臭を遮断するためのくびれた構造を持つ。くびれた部分に水をためることによって、奥深くからの悪臭を遮断している。しかし、台所の流し口から、パイプのくびれた部分までも数十センチメートルから１メートル程度の距離があり、この部分にも廃水に含まれる有機物が付着し、やはり悪臭が出る。特に、日本の夏場には腐敗が激しく、見えないが、かなり汚い部分でもある。
パイプの清掃業者に作業を発注しても、パイプを開けたときの  汚水、汚物、悪臭  は気分の良いものではない。できればパイプを開けずに内部を掃除したい。
廃水パイプの洗浄を業者に頼むとなるとコストがかかる。
ピアノ線でできた自在に曲がる道具で、パイプ内部を洗浄する方法があるが、完全ではない上、洗浄用具の  取り扱い、作業後の洗浄、保管  が面倒であるばかりでなく、パイプの内壁にキズを付ける可能性もある。
化学薬品による洗浄は必ずしも完全ではなく、環境への負荷も大きいことから、頻繁に実施することには抵抗感がある。
台所の廃水パイプの内部の洗浄を、毎日の、あるいは毎週の頻度でも抵抗感なく手間をかけずに実行したい。
【課題を解決するための手段】
【０００４】
請求項で定義されている用語は明細書においても同様とする。
明細書で定義されている用語は請求項においても同様とする。
タコとは海の生物のタコであって、足が多数あって、通称、頭と呼ばれるマルイ部分があって、頭と足の間がくびれている形状  の説明上の用語である。
【０００５】
本考案は台所の廃水パイプの内部の汚れを簡単に洗浄できる用具に関する。
布切れを糸で巻き付けて、タコの頭と足を作るように  くびれを作り、頭の部分またはくびれの部分  に長い紐を結び、これをパイプ洗浄布とし、
パイプ洗浄布を台所の流し口から廃水パイプに押し込む。パイプ洗浄布のサイズは、廃水パイプの内径にパイプ洗浄布が水を含んだ状態で、スムースに、しかもパイプ内部を均等にこする程度が最適である。紐は、パイプの内壁や曲がった部分にもスムースに通す必要があり、ナイロン糸が最適である。紐は一本でも可能であるが切れる可能性を想定して、複数本が望ましい。水を含んだパイプ洗浄布は水をせき止める性質があり、台所の廃水口へ水を多量に流すことで、パイプ洗浄布は廃水パイプの奥へ引き込まれる。パイプ洗浄布はパイプの形状に合わせて自在に形が変わることから、パイプが曲がったところでもスムースにくぐり抜ける。
【考案の効果】
【０００６】
本考案は、以下に記載されるような効果を生む。
第1に、台所の廃水パイプの内部の洗浄が極めて苦痛無く簡単になる。
第２に、洗浄用具が小さく、手のひらで握ることができる大きさであり、パイプ内部の洗浄作業を兼ねて洗浄用具も洗浄されることから、洗浄用具の作業後の洗浄に清潔感があって、台所でも可能である。
第３に洗浄用具が小さいので保管場所を取らず、たわしなどの洗浄用具と一緒に台所の空きスペースに置いておくことができる。
第４に、化学薬品を使わないので、環境負荷を与えない
【図面の簡単な説明】
【０００７】
【図１】本考案の一実施例の構造説明図
【図２】本考案の一実施例の使用状態の説明図
【０００８】
第1に一枚の布切れの中心部に玉を作るように糸で縛る。このようにしてできたパイプ洗浄布の玉の部分にナイロン糸を通し、糸が玉の部分からから抜け落ちないよう、ナイロン糸と玉を一体化する。ナイロン糸は一本でも複数本でも良いが、複数本の場合は一本が外れても残りが外れることがない構造とする。ナイロン糸の長さは、廃水パイプ内部で水を貯めるための曲がっている部分を通り抜ける程度が望ましい。
ナイロン糸が短すぎると廃水パイプの奥まで洗浄できない。長すぎると、パイプ洗浄布をたぐり上げるとき、力がかかりすぎてナイロン糸が切れる心配が増す。
ナイロン糸の手元には、たぐり上げの際、力がかかるので、握りやすくするための、ひっかかり構造  または  取手  を設ける。また、ナイロン糸が手から外れても、パイプ洗浄布がパイプの奥に引き込まれないよう、廃水パイプの入口に引っかかる構造を設ける。ナイロンの変わりに、麻紐でも差し支えないが、麻紐の場合、水を含むとパイプ内部の接続部で摩擦が大きく、たぐり上げる際、余分に大きな力を必要とする。
【０００９】
第2に、第1の例の玉の部分に当たるところに、プラスティックの玉を入れ、その玉には完全な抜け止めを施したナイロン糸を通す。こうすることで、ナイロン糸とパイプ洗浄布をより完全に外れなくすることができる。
【００１０】
第３に、第1または第2の例で使う一枚の布切れの  中心部と端の中間部  から  端  にかけて放射状に切れ目を入れる。放射状に切れ目を入れることによって、水を吸った  布がパイプ内部を滑る際、パイプ洗浄布全体がパイプ内壁の形状によりなじみやすく、吸い込みと、たぐり上げがよりスムースになる。
【００１１】
第４に、第1または第3の例で使う一枚の布切れの変わりに、  多数の短冊状の細長い布きれ  を用いる。
【実施例】
【００１２】
以下、図面を用いた詳細説明。
図１は本考案のパイプ洗浄用具の一実施例である。
１は布または布切れのタコの頭に相当する中央の部分、２はタコの足に相当する部分で、この部分がパイプの内面をこする。３は縛り糸でタコのくびれた部分を作る。４と５は、紐の端の抜け止め、６と７は紐である。この実施例は紐が２本の場合を示す。８は取手、９はストッパーである。
【００１３】
図２は本考案の使われ方を示す。１０１は流し台の底の水を受ける部分。ゴミを濾す網は説明を省略する。１０２は廃水パイプの流し口側、１０３は廃水パイプの中間にある、水をためる曲がりくねった部分、１０４は廃水パイプの廃水側である。１０５は図１のパイプ洗浄用具の先端部で、パイプ内部の汚れをこすり落とす部分。１０６はパイプ洗浄用具の紐であり、説明図を簡単にするために一本としてある。１０７はパイプ洗浄用具の取手、１０８はパイプ洗浄用具がパイプ内部に吸い込まれないためのストッパーである。
１０９は洗浄するための、流し口から流す水である。１１０は、洗浄に使った水が流れ出す方向を示す。パイプ洗浄用具のパイプ洗浄布が水を吸って膨らんでいることから、パイプ内壁に接触し、上から洗浄の水で押され、かつ、廃水側から引き込まれることから、パイプ内部をこすりながら、パイプを下る。取手を引き上げたりパイプ洗浄布を流し込んだりを繰り返すことで、パイプ内部が洗浄される。
【産業上の利用可能性】
【００１４】
本考案は、廃水パイプナイブの洗浄用具として、家庭の台所や、業務用の厨房に、たわしなどの洗浄用5177とともに備えられる。
【手続補正２】
【補正対象書類名】実用新案登録請求の範囲
【補正対象項目名】全文
【補正方法】変更
【補正の内容】
【実用新案登録請求の範囲】
【請求項１】
一枚の布切れ  または  一枚の布切れの周辺部に切り込みをいれたもの    または  複数枚の細長い布切れの中心部を揃えて放射状にしたもの  を布切れとし、
布切れの材料は  天然素材  または  合成素材  からなるものとし、
布切れの中心部がタコの頭状になって、布切れの端がタコの足状になるよう、糸で縛り、糸で縛った部分がくびれて、全体が、たこの頭と足のような形状としたものをパイプ洗浄布とし、
一本  または  複数本  の紐の
一方の端にはパイプ洗浄布を装着し、
他方の端には、パイプ洗浄布を手でたぐれるよう、取手  または  指を入れる輪  を設けたもの、
そして、または、
パイプの口からパイプの中に入りこまないよう  吸い込み止め  を設けたもの
を  パイプ洗浄用具  とし、
紐の長さは、廃水パイプの台所の廃水口  から  廃水パイプの中間に水を貯めるための曲がっている部分よりも少し奥  まで届く程度とし、
紐の素材は  合成素材  または  天然素材  とし、
台所の廃水口から、パイプ洗浄布を廃水パイプに押し込み、水を流すことで、パイプ洗浄布が水を吸ってふやけた状態で、水とともに廃水パイプを流れ下り、
紐が伸びきったところ  で、紐をたぐり上げ、再びパイプ洗浄布を水と一緒に流す、を数回繰り返すことで、廃水パイプの内側に付着した汚れを  水流とともに洗い落とす、という用途に用いることを特徴とするパイプ洗浄用具。